(57)【要約】  測定報告が受信されたとき、ネットワークとユーザ機器(UE)との間のハンドオーバを改善するためのワイヤレス通信のための方法および装置を提供する。方法および装置の態様は、高速ハンドオーバ性能しきい値に関連するサービングセルの品質を判断することに関する。高速ハンドオーバ性能しきい値が違反されたとき、UEは、ターゲットセルへのハンドオーバを要求する測定報告を送信し得る。高速ハンドオーバ性能しきい値が違反されたときにターゲットセルへのハンドオーバを要求すると、UEは、ハンドオーバトリガを受信し、それによってターゲットセルへのハンドオーバが可能になる。
2016506702.tif 000002
【特許請求の範囲】
【請求項１】
ワイヤレス通信の方法であって、
高速ハンドオーバ性能しきい値に対してサービングセルの品質を判断するステップと、
前記高速ハンドオーバ性能しきい値が違反されたとき、測定報告を送信するステップと、
前記高速ハンドオーバ性能しきい値が違反されたとき、ターゲットセルへのハンドオーバを要求するステップと、
前記測定報告および前記ハンドオーバ要求に基づいてハンドオーバトリガを受信するステップと
を含む、方法。
【請求項２】
前記高速ハンドオーバ性能しきい値の偽違反に基づくハンドオーバを防ぐステップをさらに含む、請求項1に記載の方法。
【請求項３】
前記高速ハンドオーバ性能しきい値が、信号品質ベースメトリックである、請求項1に記載の方法。
【請求項４】
前記高速ハンドオーバ性能しきい値が、経路損失ベースメトリックである、請求項1に記載の方法。
【請求項５】
前記高速ハンドオーバ性能しきい値が、干渉ベースメトリックである、請求項1に記載の方法。
【請求項６】
前記高速ハンドオーバ性能しきい値が、送信電力ベースメトリックである、請求項1に記載の方法。
【請求項７】
前記高速ハンドオーバ性能しきい値が、トリガ時間(TTT)がスキップされるなど、前記TTTの期間中の急激な呼品質変動に基づく、請求項1に記載の方法。
【請求項８】
ソースセルが、次のハンドオーバトリガまで前記高速ハンドオーバ性能しきい値から免除される、請求項1に記載の方法。
【請求項９】
前記測定報告が、サービングセルおよび1つまたは複数のターゲットセルの測定品質に関係する情報を含む、請求項1に記載の方法。
【請求項１０】
前記測定イベント報告を送信するステップが、サービングセルの受信信号コード電力(RSCP)の低下の速さに基づいてトリガされる、請求項1に記載の方法。
【請求項１１】
前記高速ハンドオーバ性能しきい値の偽違反に基づくハンドオーバを防ぐためにアンチピンポンタイマーを採用するステップをさらに含む、請求項1に記載の方法。
【請求項１２】
ワイヤレス通信の装置であって、
少なくとも1つのプロセッサと、
前記少なくとも1つのプロセッサに結合されたメモリと
を含み、前記少なくとも1つのプロセッサが、
高速ハンドオーバ性能しきい値に対してサービングセルの品質を判断することと、
前記高速ハンドオーバ性能しきい値が違反されたとき、測定報告を送信することと、
前記高速ハンドオーバ性能しきい値が違反されたとき、ターゲットセルへのハンドオーバを要求することと、
前記測定報告および前記ハンドオーバ要求に基づいてハンドオーバトリガを受信することと
を行うように構成された、装置。
【請求項１３】
前記少なくとも1つのプロセッサが、前記高速ハンドオーバ性能しきい値の偽違反に基づくハンドオーバを防ぐようにさらに構成された、請求項12に記載の装置。
【請求項１４】
前記高速ハンドオーバ性能しきい値が、信号品質ベースメトリックである、請求項12に記載の装置。
【請求項１５】
前記高速ハンドオーバ性能しきい値が、経路損失ベースメトリックである、請求項12に記載の装置。
【請求項１６】
前記高速ハンドオーバ性能しきい値が、干渉ベースメトリックである、請求項12に記載の装置。
【請求項１７】
前記高速ハンドオーバ性能しきい値が、送信電力ベースメトリックである、請求項12に記載の装置。
【請求項１８】
前記高速ハンドオーバ性能しきい値が、トリガ時間(TTT)がスキップされるなど、前記TTTの期間中の急激な呼品質変動に基づく、請求項12に記載の装置。
【請求項１９】
ソースセルが、次のハンドオーバトリガまで前記高速ハンドオーバ性能しきい値から免除される、請求項12に記載の装置。
【請求項２０】
前記測定報告が、サービングセルおよび1つまたは複数のターゲットセルの測定品質に関係する情報を含む、請求項12に記載の装置。
【請求項２１】
前記測定イベント報告を送信するステップが、サービングセルの受信信号コード電力(RSCP)の低下の速さに基づいてトリガされる、請求項12に記載の装置。
【請求項２２】
前記少なくとも1つのプロセッサが、前記高速ハンドオーバ性能しきい値の偽違反に基づくハンドオーバを防ぐためにアンチピンポンタイマーを採用するようにさらに構成された、請求項12に記載の装置。
【請求項２３】
ワイヤレス通信の装置であって、
高速ハンドオーバ性能しきい値に対してサービングセルの品質を判断するための手段と、
前記高速ハンドオーバ性能しきい値が違反されたとき、測定報告を送信するための手段と、
前記高速ハンドオーバ性能しきい値が違反されたとき、ターゲットセルへのハンドオーバを要求するための手段と、
前記測定報告および前記ハンドオーバ要求に基づいてハンドオーバトリガを受信するための手段と
を含む、装置。
【請求項２４】
コンピュータ可読記憶媒体上に記憶されたコンピュータプログラムであって、
高速ハンドオーバ性能しきい値に対してサービングセルの品質を判断することと、
前記高速ハンドオーバ性能しきい値が違反されたとき、測定報告を送信することと、
前記高速ハンドオーバ性能しきい値が違反されたとき、ターゲットセルへのハンドオーバを要求することと、
前記測定報告および前記ハンドオーバ要求に基づいてハンドオーバトリガを受信することと
を行うためのコードを含む、コンピュータ可読記憶媒体。
【発明の詳細な説明】
【技術分野】
【０００１】
米国特許法第119条に基づく優先権の主張
本特許出願は、本出願の譲受人に譲渡され、参照により本明細書に明確に組み込まれる、2013年1月11日に中国の受理官庁(RO/CN)に出願された「METHOD AND APPARATUS FOR FAST HANDOVER EVALUATION」と題するPCT出願第PCT/CN/2013/070371号の優先権を主張する。
【０００２】
本開示の態様は、一般に、ワイヤレス通信システムに関し、より詳細には、ネットワークとユーザ機器(UE)との間のハンドオーバを改善するための装置および方法に関する。
【背景技術】
【０００３】
電話、ビデオ、データ、メッセージング、放送などの様々な通信サービスを提供するために、ワイヤレス通信ネットワークが広範囲に展開されている。そのようなネットワークは、たいていは多元接続ネットワークであり、利用可能なネットワークリソースを共有することによって、複数のユーザ向けの通信をサポートする。そのようなネットワークの一例は、UMTS地上波無線アクセスネットワーク(UTRAN)である。UTRANは、第3世代パートナーシッププロジェクト(3GPP)によってサポートされる第3世代(3G)モバイルフォン技術である、ユニバーサルモバイル通信システム(UMTS)の一部として定義される無線アクセスネットワーク(RAN)である。UMTSは、モバイル通信用グローバルシステム(GSM（登録商標）)技術の後継であり、広帯域符号分割多元接続(W-CDMA)、時分割符号分割多元接続(TD-CDMA)、および時分割同期符号分割多元接続(TD-SCDMA)などの様々なエアインターフェース規格を現在サポートしている。UMTSは、関連するUMTSネットワークのデータ転送の速度および容量を向上させる高速パケットアクセス(HSPA)のような改良型の3Gデータ通信プロトコルもサポートする。
【０００４】
現在のTD-SCDMAシステムでは、ハンドオーバ(HO)は、UEから送られた測定報告メッセージに基づいてネットワークによって開始され得る。ネットワークは、次いで、測定報告に基づいてターゲットセルへのHOを開始することができる。しかしながら、たとえば、ターゲットセル受信電力が、サービングセルの受信電力に持続時間の後のヒステリシスを加えたものより高いとき、UEは、単に、イベントを生成し、ネットワークに測定報告を報告することになる。これらの要件により、UEは、現在の呼をドロップし得る。
【先行技術文献】
【非特許文献】
【０００５】
【非特許文献１】RRC Protocol Specification、3GPP TS 25.331
【発明の概要】
【発明が解決しようとする課題】
【０００６】
したがって、本装置および方法の態様は、測定報告が受信されたときにネットワークとUEとの間のハンドオーバを改善することを含む。
【課題を解決するための手段】
【０００７】
以下で、1つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、1つまたは複数の態様のいくつかの概念を簡略化された形で提示することである。
【０００８】
測定報告が受信されたとき、ネットワークとユーザ機器(UE)との間のハンドオーバを改善するためのワイヤレス通信のための方法および装置を提供する。方法および装置の態様は、高速ハンドオーバ性能しきい値に関連するサービングセルの品質を判断することに関する。高速ハンドオーバ性能しきい値が違反されたとき、UEは、ターゲットセルへのハンドオーバを要求する測定報告を送信し得る。高速ハンドオーバ性能しきい値が違反されたときにターゲットセルへのハンドオーバを要求すると、UEは、ハンドオーバトリガを受信し、それによってターゲットセルへのハンドオーバが可能になる。
【０００９】
一態様では、ネットワークとUEとの間のハンドオーバを改善するための方法を提供する。本方法は、高速ハンドオーバ性能しきい値に対してサービングセルの品質を判断するステップを含む。さらに、本方法は、高速ハンドオーバ性能しきい値が違反されたとき、測定報告を送信するステップと、高速ハンドオーバ性能しきい値が違反されたとき、ターゲットセルへのハンドオーバを要求するステップとを含む。さらに、本方法は、測定報告およびハンドオーバ要求に基づいてハンドオーバトリガを受信するステップを含む。
【００１０】
別の態様では、ネットワークとUEとの間のハンドオーバを改善するための装置を提供する。本装置は、高速ハンドオーバ性能しきい値に対してサービングセルの品質を判断するように構成されたプロセッサを含む。さらに、プロセッサは、高速ハンドオーバ性能しきい値が違反されたとき、測定報告を送信することと、高速ハンドオーバ性能しきい値が違反されたとき、ターゲットセルへのハンドオーバを要求することとを行うように構成される。さらに、プロセッサは、測定報告およびハンドオーバ要求に基づいてハンドオーバトリガを受信するように構成される。
【００１１】
別の態様では、高速ハンドオーバ性能しきい値に対してサービングセルの品質を判断するための手段を含む、ネットワークとUEとの間のハンドオーバを改善するための装置を提供する。さらに、本装置は、高速ハンドオーバ性能しきい値が違反されたとき、測定報告を送信するための手段と、高速ハンドオーバ性能しきい値が違反されたとき、ターゲットセルへのハンドオーバを要求するための手段とを含む。さらに、本装置は、測定報告およびハンドオーバ要求に基づいてハンドオーバトリガを受信するための手段を含む。
【００１２】
また別の態様では、高速ハンドオーバ性能しきい値に対してサービングセルの品質を判断するための機械実行可能コードを含む、ネットワークとUEとの間のハンドオーバを改善するためのコンピュータ可読媒体を提供する。さらに、コードは、高速ハンドオーバ性能しきい値が違反されたとき、測定報告を送信することと、高速ハンドオーバ性能しきい値が違反されたとき、ターゲットセルへのハンドオーバを要求することとを行うように実行可能であり得る。さらに、コードは、測定報告およびハンドオーバ要求に基づいてハンドオーバトリガを受信することを行うように実行可能であり得る。
【００１３】
上記のおよび関連の目的を達成するために、1つまたは複数の態様は、以下で十分に説明され、特許請求の範囲で具体的に指摘される特徴を含む。以下の説明および添付の図面は、1つまたは複数の態様のいくつかの例示的な特徴を詳細に説明する。しかしながら、これらの特徴は、様々な態様の原理が採用され得る様々な方法のうちのいくつかを示すものにすぎず、この説明は、そのようなすべての態様およびそれらの等価物を含むものとする。
【図面の簡単な説明】
【００１４】
【図１】ワイヤレス通信システムにおける呼処理の例示的な態様を示す概略図である。
【図２】ワイヤレス通信システムにおける呼処理の別の例示的な態様を示す概略図である。
【図３】本開示のワイヤレス通信システムにおける呼処理のグラフィカル表現を示す概略図である。
【図４】本開示のワイヤレス通信システムにおける呼処理のグラフィカル表現を示す概略図である。
【図５】本開示のワイヤレス通信システムにおける呼処理のための例示的な方法を示す流れ図である。
【図６】本開示による、呼処理構成要素を有するコンピュータデバイスの一態様の追加の例示的な構成要素を示すブロック図である。
【図７】本明細書で説明する機能を実行するために処理システムを採用する装置のためのハードウェア実装形態の一例を示すブロック図である。
【図８】本明細書で説明する機能を実行するように構成されたUEを含む電気通信システムの一例を概念的に示すブロック図である。
【図９】本明細書で説明する機能を実行するように構成されたUEとともに使用するアクセスネットワークの一例を示す概念図である。
【図１０】本明細書で説明する機能を実行するように構成された基地局および/またはUEのユーザプレーンおよび制御プレーンの無線プロトコルアーキテクチャの一例を示す概念図である。
【図１１】本明細書で説明する機能を実行するように構成された電気通信システムにおいてUEと通信しているノードBの一例を概念的に示すブロック図である。
【発明を実施するための形態】
【００１５】
添付の図面に関して以下に記載する詳細な説明は、様々な構成の説明として意図されており、本明細書で説明する概念が実施され得る唯一の構成を表すことは意図されていない。詳細な説明は、様々な概念の完全な理解をもたらす目的で、具体的な詳細を含んでいる。しかしながら、これらの概念がこれらの具体的な詳細なしに実行され得ることが、当業者には明らかであろう。場合によっては、そのような概念を曖昧にするのを回避する目的で、周知の構造および構成要素がブロック図の形式で示されている。
【００１６】
上記で説明したように、現在のTD-SCDMAシステムでは、HOは、UEから送られた測定報告メッセージに基づいてネットワークによって開始され得る。UEは、サービングセルおよび/またはターゲットセルの品質を測定し、イベント報告基準が満たされるかどうかを評価する。基準が満たされる場合、UEは、ネットワークにイベントを含む測定報告メッセージを送ることになる。ネットワークは、次いで、測定報告に基づいてターゲットセルへのHOを開始することができる。
【００１７】
ピンポン効果(すなわち、複数のハンドオーバがセル間を行き来すること)を緩和するために、測定報告が生成されることになるかどうかをUEが評価するときにヒステリシスおよび所定の値をもつタイマーが使用される。所定の値が、「トリガ時間」と呼ばれ得、タイマーが、「トリガ時間タイマー」と呼ばれ得ることに留意されたい。しかしながら、たとえば、ターゲットセル受信電力が、サービングセルの受信電力と持続時間の間のヒステリシス値との合計よりも高いとき、UEは、単に、イベント(すなわち、UEに、ネットワークに測定報告を報告させるイベント)を生成することになる。この場合、持続時間の値は、「トリガ時間」である。
【００１８】
しかしながら、いくつかのシナリオでは、サービングセル電力が急激にドロップし、「トリガ時間」タイマーが満了する前に、したがって、UEが、ネットワークに測定報告を報告する前に、接続がドロップすることがある。それらのシナリオは、たとえば、UEが屋外カバレージから建築物に入ったとき、または2Gカバレージしか存在しないリフトまたはエレベータに入ったとき、またはUEが高速列車上にあるときであり得る。この場合、「トリガ時間」タイマーが満了する前にリンク品質変化を報告することができないことにより、呼はドロップし得る。
【００１９】
しかしながら、本明細書で説明する装置および方法によって与えられるように、UEが、同じ無線アクセス技術(RAT)において(場合によっては異なる時間スロット/周波数割当てをもつ)別のセルに直ちにハンドオーバするか、または異なるRATにおいて別のセルに直ちにハンドオーバすることができる場合、呼は保存され得る。
【００２０】
図1を参照すると、一態様では、ワイヤレス通信システム100が、モバイルデバイスからネットワークに大量のデータを送信するのを容易にするように構成される。ワイヤレス通信システム100は、1つまたは複数のワイヤレスリンク125により、限定はしないが、ワイヤレスサービングノード116を含むサービングノードを介して、1つまたは複数のネットワーク112とワイヤレス通信することができる少なくとも1つのUE114を含む。1つまたは複数のワイヤレスリンク125は、限定はしないが、シグナリング無線ベアラおよび/またはデータ無線ベアラを含み得る。ワイヤレスサービングノード116は、1つもしくは複数のワイヤレスリンク125を介してUE114に1つもしくは複数の信号123を送信するように構成され得、かつ/またはUE114は、ワイヤレスサービングノード116に1つもしくは複数の信号124を送信し得る。一態様では、信号123および信号124は、限定はしないが、たとえば、ワイヤレスサービングノード116を介してUE114からネットワークにデータを送信する1つまたは複数のメッセージを含み得る。
【００２１】
一態様では、UE114は、ワイヤレスリンク125を介してワイヤレスサービングノード116にデータを送信するように構成され得る呼処理構成要素140を含み得る。詳細には、一態様では、ここで指定されるUE114の呼処理構成要素140は、3GPPシステムのパケットデータコンバージェンスプロトコル(PDCP:Packet Data Convergence Protocol)レイヤにおいて動作し得、ネットワークスタックの上位レイヤまたは下位レイヤにおいて動作し得る。
【００２２】
UE114は、モバイル装置を含み得、本開示を通じてそのように呼ばれ得る。そのようなモバイル装置またはUE114はまた、当業者によって、移動局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、端末、ユーザエージェント、モバイルクライアント、クライアント、または何らかの他の適切な用語で呼ばれ得る。
【００２３】
さらに、限定はしないが、ワイヤレス通信システム100のワイヤレスサービングノード116を含む1つまたは複数のワイヤレスノードは、基地局またはノードB、リレー、ピアツーピアデバイス、認証、認可、課金(AAA)サーバ、モバイル交換センター(MSC)、無線ネットワークコントローラ(RNC)などを含むアクセスポイントなどの任意のタイプのネットワーク構成要素のうちの1つまたは複数を含み得る。さらなる態様では、ワイヤレス通信システム100の1つまたは複数のワイヤレスサービングノードは、1つまたは複数の小規模基地局、たとえば、限定はしないが、フェムトセル、ピコセル、マイクロセル、または任意の他の小規模基地局を含み得る。
【００２４】
図2を参照すると、本装置および方法の一態様では、ワイヤレス通信システム100が、ネットワーク112とUE114との間のワイヤレス通信を含むように構成される。ワイヤレス通信システムは、何人かのユーザ間の通信をサポートするように構成され得る。図2に、ネットワーク112がUE114と通信する方法を示す。ワイヤレス通信システム100は、ネットワーク112とUE114との間に上/下の矢印によって表されるように、ワイヤレスリンク125を介したダウンリンクメッセージ送信またはアップリンクメッセージ送信のために構成され得る。
【００２５】
一態様では、UE114内に呼処理構成要素140が常駐する。呼処理構成要素140は、特に、高速ハンドオーバ性能しきい値に対してサービングセルの品質を判断することが可能な判断構成要素242を含むように構成され得る。たとえば、UE114の呼処理構成要素140中に常駐する判断構成要素242は、高速ハンドオーバ性能しきい値250に対してサービングセルの品質を判断するように構成される。
【００２６】
高速ハンドオーバ性能しきい値250は、トリガ時間(TTT)期間中の急激な呼品質変動に基づき得る。たとえば、高速ハンドオーバ性能しきい値250は、限定はしないが、信号品質メトリック(すなわち、平均受信機信号対干渉比(SIR)、平均ブロック誤り率(BLER)、閉ループ電力制御のためのSIRターゲット)、経路損失ベースメトリック(すなわち、受信信号コード電力(RSCP))、干渉ベースメトリック(すなわち、近隣セルの信号干渉)、または送信電力ベースメトリック(すなわち、アップリンク電力ベースメトリック)に関係するしきい値のうちの1つまたは複数を含み得る。
【００２７】
別の態様では、呼処理構成要素140は、高速ハンドオーバ性能しきい値が違反されたとき、ネットワークエンティティに測定報告を送信するように構成された送信構成要素243を含むように構成され得る。たとえば、送信構成要素243は、高速ハンドオーバ性能しきい値250が違反されたとき、ネットワーク112に測定報告252を送信するように構成される。
【００２８】
測定報告252が、サービングセルおよび/または1つもしくは複数のターゲットセルの測定品質に関係する情報を含み得ることに留意されたい。
【００２９】
別の態様では、呼処理構成要素140は、高速ハンドオーバ性能しきい値が違反されたとき、ターゲットセルへのハンドオーバを要求することが可能な要求構成要素244を含むように構成され得る。たとえば、要求構成要素244は、高速ハンドオーバ性能しきい値250が違反されたとき、ターゲットセルへのハンドオーバを要求するように構成される。
【００３０】
また別の態様では、呼処理構成要素140は、測定報告およびハンドオーバ要求に基づいてネットワークエンティティによるハンドオーバトリガを受信することが可能な受信構成要素245を含むように構成され得る。たとえば、受信構成要素245は、測定報告252および要求構成要素244によって要求されたハンドオーバ要求に基づいてネットワーク112からハンドオーバトリガ254を受信するように構成される。言い換えれば、受信構成要素245は、測定報告252およびハンドオーバ要求に基づいてネットワーク112からハンドオーバトリガ254を受信するように動作可能であり、ハンドオーバトリガ254は、UE114に、サービングセルからターゲットセルへの呼のハンドオーバを実行するように命令する。
【００３１】
図3〜図4は、本開示のワイヤレス通信システムにおける呼処理のグラフィカル表現を示す概略図である。詳細には、図3に、ソースのサービス品質が急激に低下したときに無線ネットワーク制御(RNC)ハンドオーバがトリガされる場合を示す。たとえば、UE114が、建築物または他の密閉構造中にトランスポートされたとき、ソースセル(サービングセル)への経路損失が急激に増加し、受信信号コード電力(RSCP)が低下する。さらに、ターゲットセルへの経路損失が急激に低下し、RSCPが増加する。この時点で、UE114は、ネットワーク112に測定報告に送ることができないか、またはネットワーク112からハンドオーバコマンドを受信することに失敗し得、呼がドロップする。
【００３２】
これは、ターゲットセルのRSCPがソースセルのRSCPに反比例している図3から容易に明らかである。実際、ソースセルのRSCPが呼失敗しきい値(すなわち、図3で開示する、ソースセルのアップリンクまたはダウンリンクにおける失敗)より下に低下する前にHOイベントをトリガするために、HOイベントは、ソースセルのRSCPが、呼失敗しきい値よりも高いしきい値(すなわち、図3で開示する、高速HOパフォーマンスしきい値)を違反したときにトリガされなければならない。
【００３３】
一態様では、同じセル中の他のUEに影響を及ぼすことなしにサービングセル受信機RSCP高速低下問題に取り組むために、本装置および方法は、図4を参照しながら説明するように、呼処理構成要素140によって追加されるべきヒステリシス値の上に新しい追加のパフォーマンスオフセット値を含め得る。たとえば、持続時間、たとえばTTT内に、ターゲットセルの品質からサービングセルの品質を引いたものの値が、ヒステリシス値から、ヒステリシス値にパフォーマンスオフセット値(H2a/2+P1)、たとえば、本明細書で使用する高速ハンドオーバ性能しきい値250の一態様を加えたものまで増加した場合、「トリガ時間」タイマーが満了しなかった場合でも、UE114は、たとえば、ネットワーク112に測定報告を報告する測定イベントを直ちにトリガすることになる(すなわち、図4で開示する、即時HOトリガ)。言い換えれば、ターゲットセルの品質が、サービングセルの品質よりも良好であり、かつターゲットセルの品質が急速に増すか、またはサービングセルの品質が急速にドロップした場合、測定イベントが直ちにトリガされることになる。
【００３４】
別の態様では、サービングセル品質がドロップするのが(またはターゲットセル品質が増すのが)速くなればなるほど、測定イベント報告がトリガされることになるのが速くなる。言い換えれば、測定イベント報告は、サービングセルのRSCPの低下速度に基づいてトリガされることになる。これは、高速サービングセル品質ドロップシナリオにおける呼ドロップの確率を減少させることになる。とはいえ、ピンポンハンドオーバの可能性は、適切なパフォーマンスオフセット値によって緩和され得、通常のシナリオでは、トリガ時間持続時間内に、ターゲットセルの品質からサービングセルの品質を引いたものが、ヒステリシス値にパフォーマンスオフセット値、たとえば、本明細書で使用する高速ハンドオーバ性能しきい値250の一態様を加えたものに達すべきではない。
【００３５】
干渉シナリオの場合、本装置および方法は、高速HOイベントトリガリングのための他のトリガ(すなわち、パフォーマンスしきい値違反)、たとえば、受信機に割り当てられる送信機電力を制御するために使用され得る信号対干渉比ターゲット(SIRtarget)に関係するトリガまたはパフォーマンスしきい値違反を追加し得る。たとえば、UE114が処理することができない干渉がある場合、ダウンリンクブロック誤り率(BLER)が増加することになり、外部ループ電力制御がSIRtargetを増加させることになる。外部ループ電力制御のSIRtargetがしきい値、たとえば、本明細書で使用する高速ハンドオーバ性能しきい値250の一態様に達する場合、本装置および方法は、高速HOイベントをトリガすることができる。
【００３６】
改善されたHOのための別の例は、UEが割り当てられるタイムスロット中の他のセルからの受信電力を伴う。他のセルからのタイムスロット受信電力が、サービングセルのタイムスロット受信電力よりもはるかに高い場合、たとえば、本明細書で使用する高速ハンドオーバ性能しきい値250の一態様におけるしきい値よりも大きい場合、本装置および方法は、高速HOイベント(すなわち、図4で開示する、即時HOトリガ)をトリガすることができる。
【００３７】
改善されたHOのための別の例は、アップリンク送信電力を伴う。アップリンク送信電力がしきい値、たとえば、本明細書で使用する高速ハンドオーバ性能しきい値250の一態様よりも高い場合、ネットワークが、アップリンクにおいて他のUEからの干渉を有するか、または経路損失が高すぎると解釈され得る。この場合、本装置および方法は、高速HOイベント(すなわち、図4で開示する、即時HOトリガ)をトリガすることができる。さらに、高速HOシナリオにおいてピンポンHOを防ぐために、本装置および方法は、図4で開示するように、ピンポン防止タイマーを追加し得る。この新しいタイマーは、アンチピンポンHOタイマーと呼ばれ得る。
【００３８】
さらに、呼処理構成要素140はまた、高速ハンドオーバ性能しきい値250の偽違反に基づくハンドオーバを防ぐためのものであり得る。たとえば、本装置および方法の一態様では、UE114が新しいセルへのハンドオーバを実行するとき(すなわち、図4で開示するように、最後のHOが完了したとき)新しいアンチピンポンHOタイマー(すなわち、図4で開示する、ピンポン防止タイマー)が開始されることになり、したがって、新しいアンチピンポンHOタイマーが満了する前に高速HOイベントがトリガされるべきではない。したがって、アンチピンポンHOタイマーは、アンチピンポンHOタイマーの少なくともタイマー持続時間の間、UE114を新しいセル中にとどめることができる。アンチピンポンHOタイマーのタイマー持続時間の値は、「トリガ時間」と呼ばれ得る。
【００３９】
図5は、例示的な方法500を示す流れ図である。552において、図2を参照しながら上記で説明したように、UE114の呼処理構成要素140は、高速ハンドオーバ性能しきい値に対してサービングセルの品質を判断するように構成される。たとえば、UE114の呼処理構成要素140中に常駐する判断構成要素242は、高速ハンドオーバ性能しきい値250に対してサービングセルの品質を判断するように構成される。
【００４０】
553において、図2を参照しながら上記で説明したように、UE114の呼処理構成要素140は、高速ハンドオーバ性能しきい値が違反されたとき、測定報告を送信するように構成される。たとえば、高速ハンドオーバ性能しきい値に対してサービングセルの品質を判断した後に、送信構成要素243は、高速ハンドオーバ性能しきい値250が違反されたとき、ネットワーク112に測定報告252を送信するように構成される。
【００４１】
554において、図2を参照しながら上記で説明したように、UE114の呼処理構成要素140は、高速ハンドオーバ性能しきい値が違反されたとき、ターゲットセルへのハンドオーバを要求するように構成される。たとえば、高速ハンドオーバ性能しきい値が違反されたとき、測定報告を送信した後に、要求構成要素244は、高速ハンドオーバ性能しきい値250が違反されたとき、ターゲットセルへのハンドオーバを要求するように構成される。
【００４２】
555において、図2を参照しながら上記で説明したように、UE114の呼処理構成要素140は、測定報告およびハンドオーバ要求に基づいてハンドオーバトリガを受信するように構成される。たとえば、高速ハンドオーバ性能しきい値が違反されたとき、ターゲットセルへのハンドオーバを要求した後、受信構成要素245は、測定報告252および要求構成要素244によって要求されたハンドオーバ要求に基づいてネットワーク112からハンドオーバトリガ254を受信するように構成される。
【００４３】
一態様では、たとえば、実行方法500は、呼処理構成要素140(図1および図2)またはそれのそれぞれの構成要素を実行しているUE114またはネットワーク112(図1および図2)であり得る。
【００４４】
したがって、本装置および方法の態様は、測定報告が受信されたときにネットワークとUEとの間のハンドオーバを改善することを含む。
【００４５】
図6のコンピュータシステム600を参照すると、一態様では、図1および図2のUE114および/またはワイヤレスサービングノード116は、特別にプログラムまたは構成されたコンピュータデバイス680によって表され得、この特別なプログラムまたは構成は、本明細書で説明するような呼処理構成要素140を含む。たとえば、UE114(図1および図2)として実装する場合、コンピュータデバイス680は、特別にプログラムされたコンピュータ可読命令もしくはコード、ファームウェア、ハードウェア、またはそれらの何らかの組合せなどにおいて、データを計算し、UE114からワイヤレスサービングノード116を介してネットワーク112に送信するための1つまたは複数の構成要素を含み得る。コンピュータデバイス680は、本明細書で説明する構成要素および機能のうちの1つまたは複数に関連する処理機能を実行するためのプロセッサ682を含む。プロセッサ682は、プロセッサまたはマルチコアプロセッサの単一のセットまたは複数のセットを含み得る。さらに、プロセッサ682は、統合処理システムおよび/または分散処理システムとして実装され得る。
【００４６】
コンピュータデバイス680は、本明細書で使用されるデータ、および/またはプロセッサ682によって実行されているアプリケーションのローカルバージョンを記憶するなどのためのメモリ684をさらに含む。メモリ684は、ランダムアクセスメモリ(RAM)、読取り専用メモリ(ROM)、テープ、磁気ディスク、光ディスク、揮発性メモリ、不揮発性メモリ、およびそれらの任意の組合せなど、コンピュータが使用できる任意のタイプのメモリを含むことができる。
【００４７】
さらに、コンピュータデバイス680は、本明細書で説明するように、ハードウェア、ソフトウェア、およびサービスを利用して、1つまたは複数のパーティとの通信を確立しかつ維持することを可能にする通信構成要素686を含む。通信構成要素686は、コンピュータデバイス680上の構成要素間で、ならびにコンピュータデバイス680と、通信ネットワークにわたって位置するデバイス、および/またはコンピュータデバイス680に直列もしくはローカルに接続されたデバイスなどの外部デバイスとの間で通信を搬送し得る。たとえば、通信構成要素686は、1つまたは複数のバスを含み得、外部デバイスとのインターフェースをとるように動作可能な、送信機および受信機にそれぞれ関連する送信チェーン構成要素および受信チェーン構成要素、またはトランシーバをさらに含み得る。たとえば、一態様では、通信構成要素686の受信機は、メモリ684の一部であり得るワイヤレスサービングノード116を介して1つまたは複数のデータを受信するように動作する。
【００４８】
さらに、コンピュータデバイス680は、データストア688をさらに含み得、データストア688は、本明細書で説明する態様に関連して採用される情報、データベース、およびプログラムの大容量ストレージを実現する、ハードウェアおよび/またはソフトウェアの任意の適切な組合せであり得る。たとえば、データストア688は、本明細書で説明する態様に関係するアプリケーションおよびデータなど、プロセッサ682によって現在実行されていないアプリケーションおよびデータのためのデータリポジトリであり得る。
【００４９】
コンピュータデバイス680は、さらに、コンピュータデバイス680のユーザから入力を受信するように動作可能であり、ユーザへの提示のための出力を生成するようにさらに動作可能な、ユーザインターフェース構成要素689を含み得る。ユーザインターフェース構成要素689は、限定はしないが、キーボード、ナンバーパッド、マウス、タッチセンシティブディスプレイ、ナビゲーションキー、ファンクションキー、マイクロフォン、音声認識構成要素、ユーザからの入力を受信することが可能な任意の他の機構、またはそれらの任意の組合せを含む1つまたは複数の入力デバイスを含み得る。さらに、ユーザインターフェース構成要素689は、限定はしないが、ディスプレイ、スピーカー、触覚フィードバック機構、プリンタ、ユーザに出力を提示することが可能な任意の他の機構、またはそれらの任意の組合せを含む1つまたは複数の出力デバイスを含み得る。
【００５０】
さらに、コンピュータデバイス680は、本明細書で説明する機能を実行するように構成され得る呼処理構成要素140を含むこと、または呼処理構成要素140と通信していることがある。
【００５１】
図7は、処理システム714を採用する装置700のハードウェア実装形態の一例を示すブロック図である。装置700は、たとえば、ワイヤレスデバイス100(図1および図2)ならびに/または限定はしないが、判断構成要素242、送信構成要素243、要求構成要素244、および受信構成要素245などの上記で説明した構成要素を実装する呼処理構成要素140(図1および図2)を含むように構成され得る。この例では、処理システム714は、バス702によって概略的に表されるバスアーキテクチャを用いて実装され得る。バス702は、処理システム714の特定の適用例および全体的な設計制約に応じて、任意の数の相互接続バスおよびブリッジを含み得る。バス702は、プロセッサ704によって概略的に表される1つまたは複数のプロセッサ、およびコンピュータ可読媒体706によって概略的に表されるコンピュータ可読媒体を含む様々な回路を互いにリンクさせる。バス702は、タイミングソース、周辺機器、電圧調整器、および電力管理回路など、様々な他の回路もリンクし得、これらの回路は当技術分野においてよく知られており、したがって、これ以上説明しない。バスインターフェース708は、バス702とトランシーバ710との間のインターフェースを与える。トランシーバ710は、送信媒体を介して様々な他の装置と通信するための手段を与える。装置の性質に応じて、ユーザインターフェース712(たとえば、キーパッド、ディスプレイ、スピーカー、マイクロフォン、ジョイスティックなど)も設けられ得る。
【００５２】
プロセッサ704は、バス702の管理、およびコンピュータ可読媒体706に記憶されたソフトウェアの実行を含む全体的な処理を受け持つ。ソフトウェアは、プロセッサ704によって実行されたとき、任意の特定の装置の以下で説明する様々な機能を処理システム714に実行させる。コンピュータ可読媒体706は、ソフトウェアを実行するときにプロセッサ704によって操作されるデータを記憶するためにも使用され得る。
【００５３】
一態様では、プロセッサ704、コンピュータ可読媒体706、または両方の組合せは、本明細書で説明したように、呼処理構成要素140(図1および図2)の機能を実行するように構成されるか、あるいは特別にプログラムされ得る。
【００５４】
本開示全体にわたって提示される様々な概念は、広範な電気通信システム、ネットワークアーキテクチャ、および通信規格にわたって実装され得る。
【００５５】
図8を参照すると、限定はしないが、例として、本開示の態様は、W-CDMAエアインターフェースを採用するUMTSシステム800を参照して示される。UMTSネットワークは、コアネットワーク(CN)804、UMTS地上波無線アクセスネットワーク(UTRAN)802、およびユーザ機器(UE)810の3つの相互作用ドメインを含む。UE810は、たとえば、限定はしないが、判断構成要素242、送信構成要素243、要求構成要素244、および受信構成要素245などの上記で説明した構成要素を実装する呼処理構成要素140(図1および図2)を含むように構成され得る。この例では、UTRAN802は、電話、ビデオ、データ、メッセージング、放送、および/または他のサービスを含む様々なワイヤレスサービスを提供する。UTRAN802は、無線ネットワークコントローラ(RNC)806などのそれぞれのRNCによって各々制御される、無線ネットワークサブシステム(RNS)807などの複数のRNSを含み得る。ここで、UTRAN802は、本明細書で説明するRNC806およびRNS807に加えて、任意の数のRNC806およびRNS807を含み得る。RNC806は、とりわけ、RNS807内の無線リソースを割り当て、再構成し、かつ解放することを受け持つ装置である。RNC806は、任意の適切なトランスポートネットワークを使用する、直接の物理接続、仮想ネットワークなど様々なタイプのインターフェースを介して、UTRAN802中の他のRNC(図示せず)に相互接続され得る。
【００５６】
UE810とノードB808との間の通信は、物理(PHY)レイヤおよび媒体アクセス制御(MAC)レイヤを含むものと見なされ得る。さらに、それぞれのノードB808によるUE810とRNC806との間の通信は、無線リソース制御(RRC)レイヤを含むものと見なされ得る。本明細書では、PHYレイヤは、レイヤ1と見なされ、MACレイヤは、レイヤ2と見なされ、かつRRCレイヤは、レイヤ3と見なされ得る。以下の本明細書における情報は、参照により本明細書に組み込まれるRRC Protocol Specification、3GPP TS 25.331に述べられている用語を使用する。
【００５７】
RNS807によってカバーされる地理的領域は、いくつかのセルに分割され得、無線トランシーバ装置が各セルをサービスする。無線トランシーバ装置は、通常、UMTS用途ではノードBと呼ばれるが、当業者によって、基地局(BS)、トランシーバ基地局(BTS)、無線基地局、無線トランシーバ、トランシーバ機能、基本サービスセット(BSS)、拡張サービスセット(ESS)、アクセスポイント(AP)、または何らかの他の適切な用語で呼ばれることもある。明快にするために、各RNS807に3つのノードB808が示されているが、RNS807は、任意の数のワイヤレスノードBを含み得る。ノードB808は、任意の数のモバイル装置にCN804へのワイヤレスアクセスポイントを与える。モバイル装置の例は、携帯電話、スマートフォン、セッション開始プロトコル(SIP)電話、ラップトップ、ノートブック、ネットブック、スマートブック、携帯情報端末(PDA)、衛星ラジオ、全地球測位システム(GPS)デバイス、マルチメディアデバイス、ビデオデバイス、デジタルオーディオプレーヤ(たとえば、MP3プレーヤ)、カメラ、ゲーム機、または任意の他の類似の機能デバイスを含む。UE810は、通常、UMTS用途ではUEと呼ばれるが、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、またはいくつかの他の適切な用語で呼ばれ得る。UMTSシステムでは、UE810は、ネットワークへのユーザの加入情報を含む汎用加入者識別モジュール(USIM)811をさらに含み得る。説明のために、1つのUE810がいくつかのノードB808と通信しているように示されている。順方向リンクとも呼ばれるDLは、ノードB808からUE810への通信リンクを指し、かつ逆方向リンクとも呼ばれるULは、UE810からノードB808への通信リンクを指す。
【００５８】
CN804は、UTRAN802など1つまたは複数のアクセスネットワークとインターフェースする。図示のように、CN804は、GSM（登録商標）コアネットワークである。しかしながら、当業者が認識するように、GSM（登録商標）ネットワーク以外のタイプのCNへのアクセスをUEに提供するために、本開示全体にわたって提示される様々な概念を、RANまたは他の適切なアクセスネットワークにおいて実装され得る。
【００５９】
CN804は、回線交換(CS)ドメインとパケット交換(PS)ドメインとを含む。回線交換要素のいくつかは、モバイルサービス交換センター(MSC)、ビジターロケーションレジスタ(VLR)、およびゲートウェイMSCである。パケット交換要素は、サービングGPRSサポートノード(SGSN)とゲートウェイGPRSサポートノード(GGSN)とを含む。EIR、HLR、VLR、およびAuCのようないくつかのネットワーク要素は、回線交換ドメインとパケット交換ドメインの両方によって共有され得る。図示の例では、CN804は、MSC812およびGMSC814によって回線交換サービスをサポートする。いくつかの適用例では、GMSC814は、メディアゲートウェイ(MGW)とも呼ばれることがある。RNC806などの1つまたは複数のRNCがMSC812に接続され得る。MSC812は、呼設定、呼ルーティング、およびUEモビリティ機能を制御する装置である。MSC812は、UEがMSC812のカバレッジエリア内にある間に加入者関連の情報を格納するVLRも含む。GMSC814は、UEが回線交換ネットワーク816にアクセスするためのゲートウェイを、MSC812を通じて提供する。GMSC814は、特定のユーザが加入したサービスの詳細を反映するデータのような加入者データを格納する、ホームロケーションレジスタ(HLR)815を含む。HLRは、加入者に固有の認証データを格納する、認証センター(AuC)とも関連付けられている。特定のUEについて、呼が受信されると、GMSC814は、UEの位置を決定するためにHLR815に問い合わせ、その位置をサービスする特定のMSCに呼を転送する。
【００６０】
CN804はまた、サービングGPRSサポートノード(SGSN)818およびゲートウェイGPRSサポートノード(GGSN)820によって、パケットデータサービスをサポートする。汎用パケット無線サービスを表すGPRSは、標準の回線交換データサービスで可能なものよりも速い速度でパケットデータサービスを提供するよう設計されている。GGSN820は、パケットベースネットワーク822へのUTRAN802の接続を提供する。パケットベースネットワーク822は、インターネット、プライベートデータネットワーク、または何らかの他の適切なパケットベースネットワークであり得る。GGSN820の主要機能は、パケットベースネットワーク接続をUE810に提供することである。データパケットは、MSC812が回線交換ドメイン内で実行する機能と同じ機能をパケットベースドメイン内で主に実行するSGSN818を介して、GGSN820とUE810との間で転送され得る。
【００６１】
UMTSのエアインターフェースは、スペクトラム拡散直接シーケンス符号分割多元接続(DS-CDMA)システムを利用し得る。スペクトラム拡散DS-CDMAは、チップと呼ばれる一連の疑似ランダムビットとの乗算によって、ユーザデータを拡散させる。UMTSの「広帯域」W-CDMAエアインターフェースは、そのような直接シーケンススペクトラム拡散技術に基づいており、さらに周波数分割複信(FDD)を必要とする。FDDは、ノードB808とUE810との間のULおよびDLに異なる搬送周波数を使用する。DS-CDMAを利用し、時分割複信(TDD)を使用するUMTSの別のエアインターフェースは、TD-SCDMAエアインターフェースである。本明細書で説明される様々な例は、W-CDMAエアインターフェースを指し得るが、基礎をなす原理はTD-SCDMAエアインターフェースに等しく適用可能であり得ることを当業者は認識されよう。
【００６２】
HSPAエアインターフェースは、スループットの向上および遅延の低減を容易にする、3G/W-CDMAエアインターフェースに対する一連の拡張を含む。前のリリースに対する他の修正には、HSPAが、ハイブリッド自動再送要求(HARQ)、チャネル送信の共有、ならびに適応変調および適応符号化を利用する。HSPAを定義する規格は、HSDPA(高速ダウンリンクパケットアクセス)およびHSUPA(高速アップリンクパケットアクセス、拡張アップリンクまたはEULとも呼ばれる)を含む。
【００６３】
HSDPAは、それのトランスポートチャネルとして高速ダウンリンク共有チャネル(HS-DSCH)を利用する。HS-DSCHは、高速物理ダウンリンク共有チャネル(HS-PDSCH)、高速共有制御チャネル(HS-SCCH)、および高速専用物理制御チャネル(HS-DPCCH)という、3つの物理チャネルによって実装される。
【００６４】
これらの物理チャネルの中でも、HS-DPCCHは、対応するパケット送信の復号が成功したかどうかを示すための、HARQ ACK/NACKシグナリングをアップリンク上で搬送する。すなわち、ダウンリンクに関して、UE810は、ダウンリンク上のパケットを正常に復号したかどうかを示すために、HS-DPCCHを通じてフィードバックをノードB808に与える。
【００６５】
HS-DPCCHはさらに、変調方式および符号化方式の選択、ならびにプリコーディングの重みの選択に関して、ノードB808が正しい決定を行うのを支援するための、UE810からのフィードバックシグナリングを含み、このフィードバックシグナリングはCQIおよびPCIを含む。
【００６６】
「HSPA Evolved」またはHSPA+は、MIMOおよび64-QAMを含むHSPA規格の進化形であり、スループットの増大およびパフォーマンスの向上を可能にする。すなわち、本開示の一態様では、ノードB808および/またはUE810は、MIMO技術をサポートする複数のアンテナを有し得る。MIMO技術の使用により、ノードB808は空間領域を活用して、空間多重化、ビームフォーミング、および送信ダイバーシティをサポートすることが可能になる。
【００６７】
多入力多出力(MIMO)は、マルチアンテナ技術、すなわち複数の送信アンテナ(チャネルへの複数の入力)および複数の受信アンテナ(チャネルからの複数の出力)を指す際に一般に使用される用語である。MIMOシステムは一般にデータ伝送パフォーマンスを高め、ダイバーシティ利得がマルチパスフェージングを低減させて伝送品質を高めること、および空間多重化利得がデータスループットを向上させることを可能にする。
【００６８】
空間多重化は、同じ周波数で同時に様々なデータストリームを送信するために使用され得る。データストリームは、データレートを上げるために単一のUE810に送信され得、または全体的なシステム容量を拡大するために複数のUE810に送信され得る。これは、各データストリームを空間的にプリコーディングし、次いで空間的にプリコーディングされた各ストリームをダウンリンク上で異なる送信アンテナを介して送信することによって達成される。空間的にプリコーディングされたデータストリームは、様々な空間シグネチャを伴いUE810に到着し、これによりUE810の各々は、当該UE810に向けられた1つまたは複数のデータストリームを復元することが可能になる。アップリンク上では、各UE810は、1つまたは複数の空間的にプリコーディングされたデータストリームを送信し得、これによりノードB808は空間的にプリコーディングされた各データストリームのソースを識別することが可能になる。
【００６９】
空間多重化は、チャネル状態が良好なときに使用され得る。チャネル状態がさほど好ましくないときは、送信エネルギーを1つもしくは複数の方向に集中させるために、またはチャネルの特性に基づいて送信を改善するために、ビームフォーミングが使用され得る。これは、複数のアンテナを通じて送信するデータストリームを空間的にプリコーディングすることによって達成され得る。セルの端において良好なカバレージを達成するために、シングルストリームビームフォーミング伝送が送信ダイバーシティと組み合わせて使用され得る。
【００７０】
一般に、n個の送信アンテナを利用するMIMOシステムの場合、同じチャネル化コードを利用して同じキャリアでn個のトランスポートブロックが同時に送信され得る。n個の送信アンテナで送られる異なるトランスポートブロックは、互いに同じまたは異なる変調方式および符号化方式を有し得ることに留意されたい。
【００７１】
一方、単入力多出力(SIMO)は一般に、単一の送信アンテナ(チャネルへの単一の入力)および複数の受信アンテナ(チャネルからの複数の出力)を利用するシステムを指す。それによって、SIMOシステムでは、単一のトランスポートブロックがそれぞれのキャリアで送られ得る。
【００７２】
図9を参照すると、UTRANアーキテクチャにおけるアクセスネットワーク900が示されている。多元接続ワイヤレス通信システムは、セル902、904、および906を含む複数のセルラー領域(セル)を含み、セルラー領域の各々は、1つまたは複数のセクタを含み得、セルラー領域の各々は、通信マネージャ構成要素18(図1)を含むネットワークエンティティ12と同じまたは同様であり得る。複数のセクタはアンテナのグループによって形成され得、各アンテナがセルの一部分にあるUEとの通信を受け持つ。たとえば、セル902において、アンテナグループ912、914、および916は、各々異なるセクタに対応し得る。セル904において、アンテナグループ918、920、および922は、各々異なるセクタに対応する。セル906において、アンテナグループ924、926、および928は、各々異なるセクタに対応する。セル902、904、および906は、各セル902、904、または906の1つまたは複数のセクタと通信していることがある、いくつかのワイヤレス通信デバイス、たとえば、ユーザ機器すなわちUEを含み得る。たとえば、UE930および932は、ノードB942と通信していていることがあり、UE934および936は、ノードB944と通信していることがあり、かつUE938および940は、ノードB946と通信していることがある。ここで、各ノードB942、944、946は、それぞれのセル902、904、および906の中のすべてのUE930、932、934、936、938、940に、CN904(図9参照)へのアクセスポイントを与えるように構成される。ノードB942、944、946およびUE930、932、934、936、938、940はそれぞれ、たとえば、限定はしないが、判断構成要素242、送信構成要素243、要求構成要素244、および受信構成要素245などの上記で説明した構成要素を実装する呼処理構成要素140(図1および図2)を含むように構成され得る。
【００７３】
UE934がセル904中の図示された位置からセル906に移動するとき、サービングセル変更(SCC)またはハンドオーバが生じて、UE934との通信が、ソースセルと呼ばれることがあるセル904からターゲットセルと呼ばれることがあるセル906に移行し得る。ハンドオーバ手順の管理は、UE934において、それぞれのセルに対応するノードBにおいて、無線ネットワークコントローラ806(図8参照)において、またはワイヤレスネットワーク中の別の適切なノードにおいて行われ得る。たとえば、ソースセル904との呼の間、または任意の他の時間において、UE934は、ソースセル904の様々なパラメータ、ならびに、セル906および902などの近隣セルの様々なパラメータを監視し得る。さらに、これらのパラメータの品質に応じて、UE934は、近隣セルのうちの1つまたは複数との通信を維持し得る。この期間中に、UE934は、UE934が同時に接続されるセルのリストであるアクティブセットを維持し得る(すなわち、ダウンリンク専用物理チャネルDPCHまたはフラクショナルダウンリンク専用物理チャネルF-DPCHをUE934に現在割り当てているUTRAセルが、アクティブセットを構成し得る)。
【００７４】
アクセスネットワーク900によって使用される変調方式および多元接続方式は、導入されている具体的な電気通信規格に応じて異なり得る。例として、規格は、Evolution-Data Optimized(EV-DO)またはUltra Mobile Broadband(UMB)を含み得る。EV-DOおよびUMBは、CDMA2000規格ファミリーの一部として第3世代パートナーシッププロジェクト2(3GPP2)によって公表されたエアインターフェース規格であり、CDMAを用いて移動局にブロードバンドインターネットアクセスを提供する。規格は代替的に、広帯域CDMA(W-CDMA)およびTD-SCDMAなどのCDMAの他の変形形態を用いるUniversal Terrestrial Radio Access(UTRA)、TDMAを用いるモバイル通信用グローバルシステム(GSM（登録商標）)、ならびにOFDMAを用いるEvolved UTRA(E-UTRA)、Ultra Mobile Broadband(UMB)、IEEE 802.11(Wi-Fi)、IEEE 802.16(WiMAX)、IEEE 802.20、およびFlash-OFDMであり得る。UTRA、E-UTRA、UMTS、LTE、LTE Advanced、およびGSM（登録商標）は、3GPP団体による文書に記述されている。CDMA2000およびUMBは、3GPP2団体による文書に記述されている。採用される実際のワイヤレス通信規格および多元接続技術は、特定の適用例およびシステムに課される全体的な設計制約に依存することになる。
【００７５】
無線プロトコルアーキテクチャは、特定の適用例に応じて様々な形態をとり得る。次に、図10を参照しながらHSPAシステムについての一例を提示する。
【００７６】
図10は、ユーザ機器(UE)またはノードB/基地局のユーザプレーン1002および制御プレーン1004の無線プロトコルアーキテクチャ1000の一例を示す概念図である。たとえば、アーキテクチャ1000は、ワイヤレスネットワーク112内のエンティティおよび/またはUE114(図1および図2)など、ネットワークエンティティおよび/またはUEに含まれ得る。UEおよびノードBの無線プロトコルアーキテクチャ1000は、レイヤ1 1006、レイヤ2 1008、およびレイヤ3 1010の3つのレイヤで示されている。レイヤ1 1006は最下レイヤであり、様々な物理層の信号処理機能を実装する。したがって、レイヤ1 1006は、物理レイヤ1007を含む。レイヤ2(L2レイヤ)1008は、物理レイヤ1007の上にあり、物理レイヤ1007を通じたUEとノードBとの間のリンクを受け持つ。レイヤ3(L3レイヤ)1010は、無線リソース制御(RRC)サブレイヤ1015を含む。RRCサブレイヤ1015は、UEとUTRANとの間のレイヤ3の制御プレーンシグナリングを処理する。
【００７７】
ユーザプレーンでは、L2レイヤ1008は、媒体アクセス制御(MAC)サブレイヤ1009、無線リンク制御(RLC)サブレイヤ1011、およびパケットデータコンバージェンスプロトコル(PDCP)サブレイヤ1013を含み、これらはネットワーク側のノードBで終端される。図示されていないが、UEは、ネットワーク側のPDNゲートウェイで終端されるネットワークレイヤ(たとえばIPレイヤ)と、接続の他端(たとえば、遠端のUE、サーバなど)で終端されるアプリケーションレイヤとを含めて、L2レイヤ1008の上にいくつかの上位レイヤを有し得る。
【００７８】
PDCPサブレイヤ1013は、異なる無線ベアラと論理チャネルとの間の多重化を行う。PDCPサブレイヤ1013はまた、無線送信のオーバーヘッドを低減するための上位レイヤデータパケットのヘッダ圧縮、データパケットの暗号化によるセキュリティ、および、ノードB間のUEのハンドオーバのサポートを実現する。RLCサブレイヤ1011は、上位レイヤのデータパケットのセグメント化および再構築、失われたデータパケットの再送信、ならびに、ハイブリッド自動再送要求(HARQ)による順序の狂った受信を補償するためのデータパケットの再順序付けを行う。MACサブレイヤ1009は、論理チャネルとトランスポートチャネルとの間の多重化を行う。MACサブレイヤ1009はまた、1つのセルの中の様々な無線リソース(たとえばリソースブロック)の複数のUEへの割当てを受け持つ。MACサブレイヤ1009はまた、HARQ動作を受け持つ。
【００７９】
図11は、UE1150と通信するノードB1110を含む通信システム1100のブロック図であり、ノードB1110は、ネットワーク112内のエンティティであり得、UE1150は、図1および図2に記載された態様によるUE114であり得る。ダウンリンク通信では、送信プロセッサ1120は、データソース1112からデータを受信し、コントローラ/プロセッサ1140から制御信号を受信し得る。送信プロセッサ1120は、データ信号および制御信号ならびに基準信号(たとえばパイロット信号)のための様々な信号処理機能を提供する。たとえば、送信プロセッサ1120は、誤り検出のための巡回冗長検査(CRC)コード、順方向誤り訂正(FEC)を支援するための符号化およびインターリービング、様々な変調方式(たとえば、二位相偏移変調(BPSK)、四位相偏移変調(QPSK)、M-位相偏移変調(M-PSK)、M-直角位相振幅変調(M-QAM)など)に基づいた信号配列へのマッピング、直交可変拡散率(OVSF)による拡散、および、一連のシンボルを生成するためのスクランブリングコードとの乗算を提供し得る。チャネルプロセッサ1144からのチャネル推定値は、コントローラ/プロセッサ1140によって送信プロセッサ1120のためのコーディング方式、変調方式、拡散方式、および/またはスクランブリング方式を判断するために使用され得る。これらのチャネル推定値は、UE1150によって送信される基準信号から導出され得るか、またはUE1150からのフィードバックから導出され得る。送信プロセッサ1120によって生成されたシンボルは、フレーム構造を作成するために、送信フレームプロセッサ1130に与えられる。送信フレームプロセッサ1130は、コントローラ/プロセッサ1140からの情報とシンボルとを多重化することによって、このフレーム構造を作成し、一連のフレームを生じる。これらフレームは、次いで、送信機1132に与えられ、送信機1132は、アンテナ1134を通じたワイヤレス媒体によるダウンリンク送信のために、増幅、フィルタリング、およびフレームのキャリア上への変調を含む、様々な信号調整機能を提供する。アンテナ1134は、たとえば、ビームステアリング双方向適応アンテナアレイまたは他の同様のビーム技術を含む、1つまたは複数のアンテナを含み得る。
【００８０】
UE1150において、受信機1154は、アンテナ1152を通じてダウンリンク送信を受信し、その送信を処理してキャリア上に変調された情報を復元する。受信機1154によって復元された情報は、受信フレームプロセッサ1160に与えられ、受信フレームプロセッサ1160は、各フレームを解析し、フレームからの情報をチャネルプロセッサ1194に提供し、データ信号、制御信号、および基準信号を受信プロセッサ1170に提供する。受信プロセッサ1170は次いで、ノードB1110中の送信プロセッサ1120によって実行される処理の逆を実行する。より詳細には、受信プロセッサ1170は、シンボルを逆スクランブルおよび逆拡散し、次いで変調方式に基づいて、ノードB1110によって送信された、最も可能性の高い信号コンステレーション点を求める。これらの軟判定は、チャネルプロセッサ1194によって計算されるチャネル推定値に基づき得る。そして軟判定は、データ信号、制御信号、および基準信号を復元するために、復号されてデインターリーブされる。そして、フレームの復号が成功したかどうか判断するために、CRCコードが確認される。次いで、復号に成功したフレームによって搬送されるデータがデータシンク1172に与えられ、データシンク1172は、UE1150および/または様々なユーザインターフェース(たとえばディスプレイ)において実行されているアプリケーションを表す。復号に成功したフレームが搬送する制御信号は、コントローラ/プロセッサ1190に与えられる。受信プロセッサ1170によるフレームの復号が失敗すると、コントローラ/プロセッサ1190はまた、確認応答(ACK)プロトコルおよび/または否定応答(NACK)プロトコルを使用して、そうしたフレームの再送信要求をサポートし得る。
【００８１】
アップリンクでは、データソース1178からのデータおよびコントローラ/プロセッサ1190からの制御信号が、送信プロセッサ1180に与えられる。データソース1178は、UE1150で実行されているアプリケーションおよび様々なユーザインターフェース(たとえばキーボード)を表し得る。ノードB1110によるダウンリンク送信に関して説明される機能と同様に、送信プロセッサ1180は、CRCコード、FECを容易にするための符号化およびインターリービング、信号コンステレーションへのマッピング、OVSFによる拡散、および、一連のシンボルを生成するためのスクランブリングを含む、様々な信号処理機能を提供する。ノードB1110によって送信される基準信号から、または、ノードB1110によって送信されるミッドアンブル中に含まれるフィードバックから、チャネルプロセッサ1194によって導出されるチャネル推定値が、適切な符号化方式、変調方式、拡散方式、および/またはスクランブリング方式を選択するために使用され得る。送信プロセッサ1180によって生成されたシンボルは、フレーム構造を作成するために、送信フレームプロセッサ1182に与えられる。送信フレームプロセッサ1182は、コントローラ/プロセッサ1190からの情報とシンボルとを多重化することによって、このフレーム構造を作成し、一連のフレームが得られる。次いでこのフレームは送信機1156に与えられ、送信機1156は、アンテナ1152を通じたワイヤレス媒体によるアップリンク送信のために、増幅、フィルタリング、およびフレームのキャリア上への変調を含む、様々な信号調整機能を提供する。
【００８２】
アップリンク送信は、UE1150での受信機機能に関して記載された方式と同様の方式で、ノードB1110で処理される。受信機1135は、アンテナ1134を通じてアップリンク送信を受信し、その送信を処理してキャリア上へ変調されている情報を復元する。受信機1135によって復元された情報は、受信フレームプロセッサ1136に与えられ、受信フレームプロセッサ1136は、各フレームを解析し、フレームからの情報をチャネルプロセッサ1144に提供し、データ信号、制御信号、および基準信号を受信プロセッサ1138に提供する。受信プロセッサ1138は、UE1150中の送信プロセッサ1180によって実行される処理の逆を実行する。次いで、復号に成功したフレームによって搬送されるデータ信号および制御信号が、データシンク1139およびコントローラ/プロセッサにそれぞれ与えられ得る。フレームの一部が、受信プロセッサによる復号に失敗すると、コントローラ/プロセッサ1140はまた、確認応答(ACK)プロトコルおよび/または否定応答(NACK)プロトコルを使用して、そうしたフレームの再送信要求をサポートし得る。
【００８３】
コントローラ/プロセッサ1140および1190は、それぞれノードB1110およびUE1150における動作を指示するために使用され得る。たとえば、コントローラ/プロセッサ1140および1190は、タイミング、周辺インターフェース、電圧調整、電力管理、および他の制御機能を含む、様々な機能を提供し得る。メモリ1142および1192のコンピュータ可読媒体は、それぞれ、ノードB1110およびUE1150のためのデータおよびソフトウェアを記憶し得る。ノードB1110におけるスケジューラ/プロセッサ1146は、リソースをUEに割り当て、UEのダウンリンク送信および/またはアップリンク送信をスケジューリングするために使用され得る。
【００８４】
W-CDMAシステムに関して電気通信システムのいくつかの態様を提示した。当業者なら容易に諒解するように、本開示全体にわたって説明した様々な態様は、他の通信システム、ネットワークアーキテクチャおよび通信規格に拡張され得る。
【００８５】
例として、様々な態様は、TD-SCDMA、高速ダウンリンクパケットアクセス(HSDPA)、高速アップリンクパケットアクセス(HSUPA)、高速パケットアクセスプラス(HSPA+)およびTD-CDMAなどの他のUMTSに拡張され得る。様々な態様は、(FDD、TDD、または両方のモードの)ロングタームエボリューション(LTE)、(FDD、TDD、または両方のモードの)LTE-Advanced(LTE-A)、CDMA2000、エボリューションデータオプティマイズド(EV-DO)、ウルトラモバイルブロードバンド(UMB)、IEEE802.11(Wi-Fi)、IEEE 802.16(WiMAX)、IEEE802.20、ウルトラワイドバンド(UWB)、Bluetooth（登録商標）、および/またはその他の好適なシステムを採用するシステムにやはり拡張され得る。採用される実際の遠隔通信規格、ネットワークアーキテクチャ、および/または通信規格は、具体的な用途およびシステム全体に課される設計制約に依存することになる。
【００８６】
本開示の様々な態様によれば、要素または要素の一部分または要素の組合せは、1つまたは複数のプロセッサを含む「処理システム」またはプロセッサ(図6または図7)を用いて実装され得る。プロセッサの例として、マイクロプロセッサ、マイクロコントローラ、デジタルシグナルプロセッサ(DSP)、フィールドプログラマブルゲートアレイ(FPGA)、プログラマブルロジックデバイス(PLD)、状態機械、ゲート論理回路、個別ハードウェア回路、および本開示全体にわたって説明する様々な機能を実施するように構成された他の適切なハードウェアがある。処理システム内の1つまたは複数のプロセッサは、ソフトウェアを実行し得る。ソフトウェアは、ソフトウェア、ファームウェア、ミドルウェア、マイクロコード、ハードウェア記述言語と呼ばれるか、他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味すると広く解釈されたい。ソフトウェアはコンピュータ可読媒体706(図7)上に常駐し得る。コンピュータ可読媒体は、非一時的コンピュータ可読媒体であり得る。非一時的コンピュータ可読媒体706(図7)は、例として、磁気記憶デバイス(たとえば、ハードディスク、フロッピー（登録商標）ディスク、磁気ストリップ)、光ディスク(たとえば、コンパクトディスク(CD)、デジタル多目的ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、取り外し可能ディスク、ならびに、コンピュータがアクセスしかつ読み取ることができるソフトウェアおよび/または命令を記憶するための任意の他の適切な媒体を含む。また、コンピュータ可読媒体は、例として、搬送波、伝送路、ならびに、コンピュータがアクセスしかつ読み取ることができるソフトウェアおよび/または命令を送信するための任意の他の適切な媒体も含み得る。コンピュータ可読媒体は、処理システム中に常駐し得、処理システムの外に常駐し得、または処理システムを含む複数のエンティティにわたって分散され得る。コンピュータ可読媒体は、コンピュータプログラム製品で具現化され得る。例として、コンピュータプログラム製品は、パッケージング材料内のコンピュータ可読媒体を含み得る。当業者なら、特定の適用例およびシステム全体に課される全体的な設計制約に応じて、どのようにしたら本開示全体にわたって提示する説明した機能を最善の形で実装することができるかを認識されよう。
【００８７】
開示した方法中のステップの特定の順序または階層は例示的なプロセスの一例であることを理解されたい。設計上の選好に基づいて、方法におけるステップの特定の順序または階層は再構成可能であることを理解されたい。添付の方法クレームは、様々なステップの要素を例示的な順序で提示したものであり、それらの請求項に特に記載されていない限り、提示された特定の順序または階層に限定されるものではない。
【００８８】
上記の説明は、本明細書に記載された様々な態様をいかなる当業者でも実施することを可能にするために提供した。これらの態様への様々な変更は当業者には容易に明らかであり、本明細書で定義した一般的原理は他の態様に適用され得る。したがって、請求項は本明細書で示す態様に限定されるよう意図されているわけではなく、請求項の文言と整合するすべての範囲を許容するように意図されており、単数の要素への言及は、そのように明記されていない限り、「唯一無二の」ではなく、「1つまたは複数の」を意味するよう意図されている。別段に明記されていない限り、「いくつかの」という用語は「1つまたは複数の」を指す。項目の列挙「のうちの少なくとも1つ」という語句は、単一の要素を含め、それらの項目の任意の組合せを指す。一例として、「a、bまたはcのうちの少なくとも1つ」は、「a」、「b」、「c」、「aおよびb」、「aおよびc」、「bおよびc」、および「a、bおよびc」を含むことが意図されている。当業者が知っているか、または後に知ることになる、本開示全体にわたって説明された様々な態様の要素と構造的にかつ機能的に同等のものはすべて、参照により本明細書に明確に組み込まれ、特許請求の範囲によって包含されることが意図される。その上、本明細書で開示する内容は、そのような開示が特許請求の範囲で明記されているか否かにかかわりなく、公に供することは意図されていない。請求項のいかなる要素も、「のための手段」という語句を使用して要素が明記されている場合、または方法クレームで「のためのステップ」という語句を使用して要素が記載されている場合を除き、米国特許法第112条第6項の規定に基づき解釈されることはない。
【符号の説明】
【００８９】
100  ワイヤレス通信システム、ワイヤレスデバイス
112  ネットワーク
114  UE
116  ワイヤレスサービングノード
123  信号
124  信号
125  ワイヤレスリンク
140  呼処理構成要素
242  判断構成要素
243  送信構成要素
244  要求構成要素
245  受信構成要素
250  高速ハンドオーバ性能しきい値
252  測定報告
254  ハンドオーバトリガ
600  コンピュータシステム
680  コンピュータデバイス
682  プロセッサ
684  メモリ
686  通信構成要素
688  データストア
689  ユーザインターフェース構成要素
700  装置
702  バス
704  プロセッサ
706  コンピュータ可読媒体
708  バスインターフェース
710  トランシーバ
712  ユーザインターフェース
714  処理システム
800  UMTSシステム
802  UMTS地上波無線アクセスネットワーク(UTRAN)
804  コアネットワーク(CN)
806  無線ネットワークコントローラ(RNC)
807  無線ネットワークサブシステム(RNS)
808  ノードB
810  ユーザ機器(UE)
811  汎用加入者識別モジュール(USIM)
812  MSC
814  GMSC
815  ホームロケーションレジスタ(HLR)
816  回線交換ネットワーク
818  サービングGPRSサポートノード(SGSN)
820  ゲートウェイGPRSサポートノード(GGSN)
822  パケットベースネットワーク
900  アクセスネットワーク
902  セル
904  セル、ソースセル
906  セル
912  アンテナグループ
914  アンテナグループ
916  アンテナグループ
918  アンテナグループ
920  アンテナグループ
922  アンテナグループ
924  アンテナグループ
926  アンテナグループ
928  アンテナグループ
930  UE
932  UE
934  UE
936  UE
938  UE
940  UE
942  ノードB
944  ノードB
946  ノードB
1000  無線プロトコルアーキテクチャ、アーキテクチャ
1002  ユーザプレーン
1004  制御プレーン
1006  レイヤ1
1007  物理レイヤ
1008  レイヤ2
1009  媒体アクセス制御(MAC)サブレイヤ、MACサブレイヤ
1010  レイヤ3
1011  無線リンク制御(RLC)サブレイヤ、RLCサブレイヤ
1013  パケットデータコンバージェンスプロトコル(PDCP)サブレイヤ、PDCPサブレイヤ
1015  無線リソース制御(RRC)サブレイヤ、RRCサブレイヤ
1100  通信システム
1110  ノードB
1112  データソース
1120  送信プロセッサ
1130  送信フレームプロセッサ
1132  送信機
1134  アンテナ
1135  受信機
1136  受信フレームプロセッサ
1138  受信プロセッサ
1139  データシンク
1140  コントローラ/プロセッサ
1142  メモリ
1144  チャネルプロセッサ
1146  スケジューラ/プロセッサ
1150  UE
1152  アンテナ
1154  受信機
1156  送信機
1160  受信フレームプロセッサ
1170  受信プロセッサ
1172  データシンク
1178  データソース
1180  送信プロセッサ
1182  送信フレームプロセッサ
1190  コントローラ/プロセッサ
1192  メモリ
1194  チャネルプロセッサ
【図１】
2016506702.tif 000003
【図２】
2016506702.tif 000004
【図３】
2016506702.tif 000005
【図４】
2016506702.tif 000006
【図５】
2016506702.tif 000007
【図６】
2016506702.tif 000008
【図７】
2016506702.tif 000009
【図８】
2016506702.tif 000010
【図９】
2016506702.tif 000011
【図１０】
2016506702.tif 000012
【図１１】
2016506702.tif 000013
【国際調査報告】
2016506702.tif 000014
2016506702.tif 000015